(57)【要約】【課題】従来の金属粉入り袋と磁石からなる磁気治療器と同等かそれ以上の治療効果が得られ、さらに構造が簡単で、安価に製造し得る治療具を提供する。【解決手段】偏平形状で、一方の平面の中央部分に筒状の第１の凹部５と、その周辺に第１の凹部５より深さが浅く径の大きい第２の凹部６を形成した基台２と、この基台２の第１の凹部５に装着した永久磁石３と、前記基台の第２の凹部６に装着形成した、薬草を炭化処理して得た炭素粉からなる薬剤部４とから構成される。【選択図】  図２
0003116076.tif 000002
【実用新案登録請求の範囲】
【請求項１】
偏平形状の基台と、この基台の一面に載置した永久磁石と、この永久磁石の近傍で前記基台の一面に形成した、薬草を炭化処理して得た炭素粉からなる薬剤部とからなる治療具。
【請求項２】
前記基台は、一面中央部に、第１の凹部を設け、この第１の凹部の周囲に第１の凹部よりも深さが小で、径が大なる第２の凹部を形成し、前記第１の凹部に前記永久磁石を装着し、前記第２の凹部に前記薬剤部を装着したことを特徴とする請求項１記載の治療具
【請求項３】
前記基台は、シート材であり、このシートの一面中央に前記永久磁石を装着し、このシートの一面の前記永久磁石の周辺に、前記薬剤部を装着したことを特徴とする請求項１記載の治療具。
【考案の詳細な説明】
【技術分野】
【０００１】
この考案は、人体の症患部等に装着し、肩こり、冷え性等の治療を行う治療具に関する。
【背景技術】
【０００２】
従来、永久磁石の磁気作用とその他の治療効果とを併用して肩こりや冷え性を治療する治療具として、例えば、内部に、空気中の酸素で酸化されて発熱する金属粉とその酸化促進剤の粉末と必要に応じ遠赤外線を発生する物質の粉末とを主成分とした混合された袋であって袋の表面部分が通気性シートでつくられ、袋の裏面部分が通気性のないシートでつくられたものと、前記袋の裏面部分に接着された磁石粒であって、低温やけど防止シートより突出できるように形成したものと、この磁石類を除いた前記袋の裏面部分を被覆するように接着した低温やけど防止シートと、この低温やけど防止シートの表面に全面的に塗布された粘着材と、粘着材に剥離可能に粘着した剥離紙からなる磁気治療具が開示されている。（例えば特許文献１参照）
【特許文献１】実開平６−２６８９８号公報
【考案の開示】
【考案が解決しようとする課題】
【０００３】
上記した従来の磁気治療器（治療具）は、磁気効果の他に袋内の金属等の酸化による発熱温度により治療効果が磁気のみの場合よりも得られるが、それまでの磁気治療具に比し、通気性シートと通気性のないシートで構成された袋に金属粉等を入れる構成と、低温やけど防止シートを設けるため、構造がやや複雑になり、治療器の単価が高くならざるを得ない、という問題がある。この考案は、上記問題点に着目してなされたものであって、上記した従来の磁気治療器と同等か、それ以上の治療効果が得られ、さらに、構造が簡単で安価に製造しうる治療具を提供することを目的とする。
【課題を解決するための手段】
【０００４】
この考案の治療具は、偏平形状の基台と、この基台の一面に設置した永久磁石と、この永久磁石の近傍で前記基台の一面に形成した、薬草を炭化処理して得た炭素粉からなる薬剤部とから構成される。
【０００５】
この考案の治療具において、前記基台は、例えば一面中央部に、第１の凹部を設け、この第１の凹部の周囲に第１の凹部よりも深さが小で、径が大なる第２の凹部を形成し、前記第１の凹部に前記永久磁石を装着し、前記第２の凹部に前記薬剤部を装着してもよい。
【０００６】
また、この考案の治療具において、前記基台は、例えば、シート材であり、このシートの一面中央に前記永久磁石を装着し、このシートの一面の前記永久磁石の周辺に、前記薬剤部を装着してもよい。
【０００７】
また、この考案の薬剤部の炭素粉を得る薬草は、例えばタカの爪を使用する。またタカの爪に加え、どくだみ、ゲンノショウコなどであり、炭素粉としては備長炭を混ぜると良い。
【考案の効果】
【０００８】
この考案によれば基台の一面に永久磁石の他に薬草を炭化処理した炭素粉からなる薬剤部を設け、永久磁石による磁気作用と薬剤部の薬草炭素粉による薬効及び温熱効果により、従来以上の効果を、金属粉等を収納するための袋、低温やけど防止シートを必要とせず得ることができ、治療効果の高い治療具を簡単な構成で、安価に提供できる。
【考案を実施するための最良の形態】
【０００９】
以下、実施の形態により、この考案をさらに詳細に説明する。図１は、この考案の一実施形態である治療具１の生体皮膚装着面からみた平面図、図２は、図１のＡ−Ａで切断した断面図である。この実施形態治療具１は、基台２の一面に永久磁石３と、薬剤部４が装着されて構成されている。基台２は、平面視、円形であり（図１参照）図３に、基台２のみを示す断面図が示されるように、円板状の中心（中央）部分に永久磁石３を装着するための凹部５（第１の凹部）が形成され、この凹部５の外周部に平面視リング状であって、薬剤部４を装着するための凹部６（第２の凹部）が形成されている。凹部５は筒状の穴であり、例えば径６mm、深さ１．５ｍｍに設定する。凹部６は、深さは０．５ｍｍと、凹部５の深さより小さく、外径は、３０ｍｍと、凹部５より大きく設定している。基台２の厚さは３ｍｍ、皮膚と接触させる面と反対側の面の外周縁に半径２ｍｍの縁取りをしている。もちろん、上記寸法は一例であって、この程度が好ましいが、この考案では、この値に固執するものではない。
【００１０】
基台２は、金属あるいは、ＡＢＳ樹脂、ＢＢ樹脂等の素材で構成される。永久磁石３は、磁石粒が固められて構成されるものであり、従来の磁気治療器で使用するものと特に変わりはない。
【００１１】
薬剤部４は、複数種の薬草を炭化処理して得た炭素粉を、溶解剤と硬化剤とで錬り合わせて凹部６にいれ、硬化により固化する。スクリーン技術を利用して基台２の凹部６に添付し、固化しても良い。
【００１２】
この薬剤部４に使用する薬剤は、例えば伊吹山の麓に生殖する薬草を陰干しして、６００°〜８００°Ｃの炭焼炉で炭化処理し、炭素（カーボン）粉末化する。これによって、薬草中の漢方薬の成分をこわさずに、３種のカーボン微粉炭を混合して使用できる。薬草は、備長炭、どくだみ草、タカの爪を主成分とする。また、ゲンノショウコや、あるいはタカの爪の一種であるマレーシア産の胡椒（カプサイシン）を含むものでも良い。薬草類の炭素粒子化は、最終的にナノ技術により粒子径７０〜１００ミクロンのものを得るものであり、古い漢方技術に最新のナノ技術で完成する。
【００１３】
基台２の凹部５に永久磁石３を装着し、凹部６に薬剤部４を装着した状態で治療具１の断面図は、図２に示したようになり、完成品が得られる。これを治療に使用する際は、生体Mの皮膚面ツボ位置に、永久磁石３及び薬剤部４が接触するように治療具１を配置し、治療具１を図４に示すように、市販のバンソウコウ７を用いて、生体Mに貼付する。バンソウコウ７で添付する代りに、基台２の外固縁部２ａをやや広く取り、ここに粘着部を形成し、この粘着部で人体Mに粘着するようにしてもよい。
【００１４】
このようにして、この実施形態治療具１を皮膚面に貼付すると３０〜40分経過して、患部がポカポカと温かくなり、磁石のみの場合よりも、はるかに温熱治療効果が得られたことを確認している。
【００１５】
図５は、この考案の他の実施形態治療具１１を示す断面図である。この実施形態では基台１２として、上記実施形態で示した厚手のものではなく、塩化ビニールで形成されるシートを使用している。この実施形態治療具１１では、基台１２に凹部を設けることなく、一面の中心（中央）部分に永久磁石１３を粘着し、その永久磁石１３の周囲に薬剤部１４を粘着している。永久磁石１３、薬剤部１４は、上記実施形態の永久磁石３、薬剤部４と同種のものを使用する。ここで、薬剤部１４は、薬草を炭化処理した炭素粉末の固化したものの代わりに、炭素粉の上から不織布で覆うようにしたものでもよい。
【００１６】
この実施形態治療具１１を生体Mに貼付するときは、図４に示したと同様に市販のバンソウコウを使用しても良いし、予め製品のシート１２の背面に、貼付用バンソウコウシートを設けておき、この貼付用バンソウコウシートを用いて貼着してもよい。あるいは、シート１２の外固縁１２ａに、薬剤部１４を形成しない領域を広く設け、ここに貼着用の貼着部を設けてもよい。
【００１７】
なお、上記実施形態では、薬剤部は、薬草を炭化処理した炭素粉末を固化したものであるが、これに代えて、基台の上に薬草を炭化処理した炭素粉末を配し、その上から不織布で覆うようにしたものでもよい。
【図面の簡単な説明】
【００１８】
【図１】この考案の一実施形態治療具の皮膚接触面側から見た平面図である。
【図２】同実施形態治療具のＡ−Ａで切断した断面図である。
【図３】同実施形態治療具のＡ−Ａで切断した基材のみの断面図である。
【図４】同実施形態治療具を生体皮膚面に装着した状態を説明する図である
【図５】この考案の他の実施形態治療具を説明する断面図である。
【符号の説明】
【００１９】
１    治療具
２    基台
３    永久磁石
４    薬剤部
５    第１の凹部
６    第２の凹部
７    バンソウコウ
１１  治療具
１２  基材（シート）
１３  永久磁石
１４  薬剤部
【図１】
0003116076.tif 000003
【図２】
0003116076.tif 000004
【図３】
0003116076.tif 000005
【図４】
0003116076.tif 000006
【図５】
0003116076.tif 000007